(57)【要約】【課題】電源装置内の電子部品が発するノイズの影響を小さくするワークテーブルを提供する。【解決手段】キャスター２５を用いて移動可能なベース部２１と、ベース部に立設された支柱４０と、支柱に支持されたテーブル部５０と、を備えたワークテーブル２０である。ベース部が、キャスターを下面２３に取り付けた金属製のベース板２２と、ベース板の下方に設けられた金属製のケース２７と、外部に対して遮蔽された状態でケース内に搭載された電源装置３０と、を有する。【選択図】図２
2020182674.tif 000002
【特許請求の範囲】
【請求項１】
キャスターを用いて移動可能なベース部と、該ベース部に立設された支柱と、該支柱に支持されたテーブル部と、を備えたワークテーブルであって、
前記ベース部が、
前記キャスターを下面に取り付けた金属製のベース板と、
該ベース板の下方に設けられた金属製のケースと、
外部に対して遮蔽された状態で前記ケース内に搭載された電源装置と、
を有することを特徴とするワークテーブル。
【請求項２】
前記ベース板は、上方に向けて開口したアクセス開口を有しており、
該アクセス開口を上方から覆う金属製のリッド部材をさらに有することを特徴とする請求項１に記載のワークテーブル。
【請求項３】
前記リッド部材が、平板状に形成されていることを特徴とする請求項２に記載のワークテーブル。
【発明の詳細な説明】
【技術分野】
【０００１】
本発明は、ワークテーブルに関し、詳細には、キャスターを用いて移動可能なベース部と、ベース部に立設された支柱と、支柱に支持されたテーブル部と、を備えたワークテーブルに関する。
【背景技術】
【０００２】
歯の治療方法は、う蝕部分の除去が一般的であり、インスツルメントによる歯牙の切削が行われる。複数本のインスツルメントを歯科治療椅子の近傍にまとめておけば、施術時に使用しやすい。例えば、特許文献１には、歯科治療椅子やうがい鉢（スピットンともいう）の近傍に配置され、インスツルメントを収納可能なワークテーブルの構造が開示されている。
【先行技術文献】
【特許文献】
【０００３】
【特許文献１】特開２００１−３２７５５９号公報
【発明の概要】
【発明が解決しようとする課題】
【０００４】
ところで、特許文献１に記載のワークテーブルは、歯科治療椅子側から延びたアームに連結されている。また、ワークテーブルと歯科治療椅子との間には、通常、インスツルメント等を駆動させるための電源や通信用の配線、水やエア用の配管を収納するホース（カートホースともいう）が必要になる。
カートホースを省略したり、ワークテーブルに電源装置を搭載したりすれば、ワークテーブルを歯科治療椅子やスピットンに対して分離できる。しかし、電源装置内の電子部品からはノイズが発生するので、周辺機器に影響を与えない構造が望まれる。
【０００５】
本発明は、上述のような実情に鑑みてなされたもので、電源装置内の電子部品が発するノイズの影響を小さくするワークテーブルを提供することを目的とする。
【課題を解決するための手段】
【０００６】
上記課題を解決するために、請求項１の発明は、キャスターを用いて移動可能なベース部と、該ベース部に立設された支柱と、該支柱に支持されたテーブル部と、を備えたワークテーブルであって、前記ベース部が、前記キャスターを下面に取り付けた金属製のベース板と、該ベース板の下方に設けられた金属製のケースと、外部に対して遮蔽された状態で前記ケース内に搭載された電源装置と、を有することを特徴としている。
【０００７】
請求項２の発明は、請求項１の発明において、前記ベース板は、上方に向けて開口したアクセス開口を有しており、該アクセス開口を上方から覆う金属製のリッド部材をさらに有することを特徴としている。
【０００８】
請求項３の発明は、請求項２の発明において、前記リッド部材が、平板状に形成されていることを特徴としている。
【発明の効果】
【０００９】
本発明によれば、ワークテーブルが移動可能であるので、歯科治療椅子やスピットンから十分に離れた位置に配置でき、衛星管理が容易になる。また、ワークテーブルには、電源装置が搭載されており、電源用の配線については、従来のような歯科治療椅子からテーブルに向かうカートホースが不要になる。そして、電源装置を搭載しても、外部に対して遮蔽された状態にあるので、電源装置内の電子部品が発するノイズの影響を小さくできる。
【図面の簡単な説明】
【００１０】
【図１】本発明の一実施形態のワークテーブルを備えた歯科治療ユニットを説明する図である。
【図２】ワークテーブルの正面図である。
【図３】ワークテーブルの左側面図である。
【図４】リッド部材を外した状態を説明するワークテーブルの斜視図である。
【図５】リッド部材を外した状態を説明するワークテーブルの斜視図である。
【図６】ワークテーブルの機能ブロック図である。
【発明を実施するための形態】
【００１１】
以下、図面を参照しながら本発明のワークテーブルについて説明する。図１は、本発明の一実施形態のワークテーブルを備えた歯科治療ユニットを説明する図である。
歯科治療ユニット１は歯科治療椅子２を有し、歯科治療椅子２の側方には、スピットン３が配置される。スピットン３には、無影灯４や、アシスタント用のホルダー５が設置されている。また、歯科治療ユニット１は、歯科治療椅子２の周辺に、フットスイッチ６や、ワークテーブル２０を備える。
【００１２】
ワークテーブル２０は、上部と下部とを一端側で接続した正面視でコ字状に形成され、この下部には例えば４個のキャスター２５が設置されている。これにより、ワークテーブル２０は、床面を移動可能であるので、歯科治療椅子２やスピットン３から十分に離れた位置に配置でき、衛星管理が容易になる。また、ワークテーブル２０は、種々の器具等を載置可能なテーブル部５０を有し、テーブル部５０の下方には、インスツルメントホルダー５２が設けられている。
【００１３】
図２はワークテーブルの正面図、図３はワークテーブルの左側面図である。また、図４、５はリッド部材を外した状態を説明するワークテーブルの斜視図である。この図４はワークテーブルを前側の上方から見ており、図５はワークテーブルを左斜め後方から見ている。なお、ワークテーブル２０の下部構造の説明を容易にするために、図２〜５ではインスツルメントホルダー５２の図示を省略し、図３，４では、さらにテーブル部５０の図示も省略している。
【００１４】
図２，３に示すように、ワークテーブル２０は、ベース部２１と、支柱４０と、テーブル部５０と、を備える。
ベース部２１は金属（例えば鉄）製のベース板２２を有する。ベース板２２は平面視で矩形状に形成され、ベース板２２の下面２３の四隅には、キャスター２５がそれぞれ取り付けられている。
【００１５】
ベース板２２の中央には、図４，５に示すような矩形状のアクセス開口２４が設けられており、ベース板２２は、平板で形成された金属（例えば鉄）製のリッド部材２６で上方から覆われている。アクセス開口２４をベース板２２に形成すれば、ベース板２２の上方から後述の電源装置３０に容易にアクセスできる。
【００１６】
支柱４０は、ベース部２１の一端側に立設され、上方に向けて延びてテーブル部５０の下面を支持している。支柱４０内には、ベース部２１とテーブル部５０とを結ぶ配線が収納される。なお、支柱４０内の下端にコンプレッサ等を設置することも可能である。この場合、コンプレッサを例えば金属製のボックスで遮蔽すれば振動を小さくでき、例えば吸音材を貼付すれば音を小さくできる。
【００１７】
ベース部２１は、テーブル部５０の一端側に取り付けられる。テーブル部５０の前面側には、持ち手や操作パネルが設置され、テーブル部５０の下面には、インスツルメントホルダー５２が設けられている。また、テーブル部５０内には、図６で説明する制御基板５１が搭載される。制御基板５１では、フットスイッチ６や操作パネル等からの信号に基づいて、インスツルメント等の操作系５２ａを駆動させる。
【００１８】
ところで、ベース部２１には、１００Ｖ電源が内蔵されている。具体的には、図４，５に示すように、ベース板２２の下面２３には、キャスター２５よりも内側の位置に、ケース２７が設けられている。ケース２７は、金属（例えば鉄）製であり、下面２３から下方に向けて突出して、アクセス開口２４に向けて開口している。ケース２７内には、電源装置３０が搭載されている。
【００１９】
このように、ワークテーブル２０に電源装置３０を搭載すれば、電源用の配線については、従来のような歯科治療椅子からテーブルに向かうカートホースが不要になる。
【００２０】
図６はワークテーブルの機能ブロック図である。
電源装置３０は、例えばスイッチング電源であり、トランス３３、ＡＣ／ＤＣコンバータ３４を有する。
コンセントから入力された１００Ｖ＿ＡＣは、メインＳＷ３２がオンの場合にトランス３３に送られて電圧変換される。
【００２１】
トランス３３で電圧変換された電流は、制御基板５１や操作系５２ａに出力されたり、ＡＣ／ＤＣコンバータ３４の整流ダイオードで整流、コンデンサで平滑されて直流に変換されてコンプレッサ等に出力される。
なお、電源装置３０はノイズフィルタ３１を有しており、スイッチング電源で発生したノイズがコンセントを介して出ないようにされている。
【００２２】
また、電源装置３０はベース板２２の下面２３よりも下方に配置されており、図４，５に示すように、例えばトランス３３を倒した状態でケース２７内に搭載している。これにより、電源装置３０は、その下方と側方からは金属製のケース２７で覆われるとともに、その上方からは金属製のリッド部材２６で覆われており、外部に対して遮蔽された状態になる。
【００２３】
このように、電源装置３０は外部に対して遮蔽されているので、電源装置３０内の電子部品が発するノイズが周囲に及ぼす影響を小さくでき、操作系５２ａなどの誤作動を防止できる。
また、電源装置３０をベース板２２の下面２３よりも下方に配置し、平板のリッド部材２６で覆うことから、ベース部２１上には平らで広いスペースを設けることができる。このスペースにフットスイッチ６等を載置すれば、床面の清掃等が容易になる。
【００２４】
上記実施例のベース板２２では、中央に矩形状のアクセス開口２４を有した例を挙げて説明した。しかし、本発明はこの例に限定されない。例えば、ベース板はアクセス開口を有しない形状、つまり、ケース２７を上方から覆う形状で構成してもよい。この場合、リッド部材は不要になる。
【符号の説明】
【００２５】
１…歯科治療ユニット、２…歯科治療椅子、３…スピットン、４…無影灯、５…アシスタント用のホルダー、６…フットスイッチ、２０…ワークテーブル、２１…ベース部、２２…ベース板、２３…下面、２４…アクセス開口、２５…キャスター、２６…リッド部材、２７…ケース、３０…電源装置、３１…ノイズフィルタ、３２…メインＳＷ、３３…トランス、３４…ＡＣ／ＤＣコンバータ、４０…支柱、５０…テーブル部、５１…制御基板、５２…インスツルメントホルダー、５２ａ…操作系。
【図１】
2020182674.tif 000003
【図２】
2020182674.tif 000004
【図３】
2020182674.tif 000005
【図４】
2020182674.tif 000006
【図５】
2020182674.tif 000007
【図６】
2020182674.tif 000008